(57)【要約】      （修正有）【課題】素人でも強い力を必要とせずに把持することができ、コテ板を傾けて漆喰ペーストのコテへの載せ替えを行なっても、残りの漆喰が滑り落ちる心配がない漆喰ペーストを載せるコテ板を提供する。【解決手段】合成樹脂製の板状部材１と、木製または合成樹脂製の把手部材２と、鋼製の把手固定部材３とから構成される。板状部材１は長方形であって、平面部１１の前方の端と、後方の端にそれぞれの傾斜部分１２、１３を有する。把手固定部材３は細長い平板状の支持板３１と、その中央に溶接され垂直に延びる連結棒３２とからなり、支持板３１は板状部材１の下側に斜めに固着され、かつ、連結棒３２は把手部材２の中央に固定される。【選択図】図２
0003157156.tif 000002
【実用新案登録請求の範囲】
【請求項１】
合成樹脂製の板状部材（１）と、木製または合成樹脂製の把手部材（２）と、金属製の把手固定部材（３）とから構成され、板状部材（１）は四角形であって、大部分を占める平面部（１１）の前方の端に傾斜部分（１２）を有するとともに、後方の端にも傾斜部分（１３）を有し、把手固定部材（３）は細長い平板状の支持板（３１）と、その中央から垂直に延びる連結棒（３２）とからなり、支持板（３１）は板状部材（１）の下側に前記四角形に対して斜めに固着され、かつ、連結棒（３２）は把手部材（２）の中央に固定されている漆喰作業用のコテ板。
【請求項２】
板状部材（１）の寸法が、傾斜部分を含めた前後の長さが２４±１ｃｍ、左右の長さが２７±１ｃｍであり、前方の端の傾斜部分（１２）および後方の端の傾斜部分（１３）の幅が２．０±０．３ｃｍであって、傾斜部分の平面部分（１１）からの傾斜角度が１５〜２５度の範囲にある請求項１のコテ板。
【請求項３】
金属製の把手固定部材（３）を構成する支持板（３１）が鋼板製であって、長さが１３．５〜１５．５ｃｍ、幅が２５〜３５ｍｍであり、板状部材（１）の下面において、その長手方向に対し４０〜５０度の傾きをもって固定されている請求項１のコテ板。
【請求項４】
支持板（３１）と把手部材（２）とを連結する連結棒（３２）が、鋼棒製であって、一端を支持板に溶接され、他端が直角に曲がっていて、木製の把手部材（２）に設けた溝を通って把手部材に打ち込むことにより固定されていて、溝が別の木材で埋められている請求項１のコテ板。
【考案の詳細な説明】
【技術分野】
【０００１】
本考案は、漆喰ペーストやセメントモルタル（粗大な骨材を含まないもの）のようなペースト状物（以下、「漆喰」で代表させる）を塗る作業に使用するコテ板、すなわち、消石灰に水を加えて調製した漆喰ペーストを載せるために使用する板に関する。
【背景技術】
【０００２】
壁などに手作業で漆喰を塗る左官作業を行なう場合、右利きの者であれば右手にコテを、左手にコテ板を持って、このコテ板に漆喰ペーストの一定量を載せ、そこから適量をコテで取って壁に塗る、という手順に従う。このとき使用するコテ板としてこれまで使用してきたものは、ほぼ正方形の木製の平板の下面に把手を設けた構造のものである。ところが、この種のコテ板は、専業の左官職人が使用するにはよいが、素人が行なう日曜大工の作業にとっては、使いにくいものである。そのほか、プラスチック製でパレットのような指孔を設けたものなどものもあるが、使用に当り手や腕に大きな力がかかって、使いにくいものである。
【０００３】
在来のコテ板が使いにくい主な理由は、コテ板に載せた漆喰の適量をコテに載せ替えるとき、コテ板を傾けてコテで向こう側にすくうようにするが、傾け過ぎると漆喰が手前に滑り落ちてしまうし、傾け方が足りなければ、コテに載せることが困難である、ということにある。コテ板に載せた漆喰の量が多すぎれば、コテ板と漆喰と合計の重量が重くなって、取り扱いに強い力が必要になるから、１回に載せられる漆喰の量には限度がある。といって、コテ板に載せた量が少なければ、たびたび漆喰を補充しなければならず、塗装作業全体の能率が上がらない。
【０００４】
漆喰を壁に塗ることを容易にするひとつの方策として、板状部材の下に把手部材をとりつけた構造の左官用コテ板において、板状部材の一端に立ち上がり部を設けたものが提案された（特許文献１）。立ち上がり部の形状は、とくに平面から円弧状に立ち上がるか、または平面から円弧状部分を介して直線状に立ち上がるかである。この左官用コテ板を用いれば、この立ち上がり部のある一端を壁などに押しつけた状態で、漆喰の一部をコテで壁に押しつけて塗りつけることができ、取り扱いにさほど強い力を必要としないという効果がある。したがって、コテ板を傾ける必要はほとんどない。しかし、このような塗りつけ方が常に可能なわけではなく、やはり漆喰をコテ板からコテに載せ替えて塗ることが必要である場合が多い。また、この左官用コテ板の把手部材は、板状部材の下面から垂直に延びて平行に走る２枚の主柱部材にまたがって渡した、細い板状の部材からなるものが代表的であるが、あまりもちやすい形状ではない。
【特許文献１】特開平９−２５６６１９
【考案の開示】
【考案が解決しようとする課題】
【０００５】
本考案の目的は、素人でも使いやすく、強い力を必要とせずにコテ板を把持することができ、コテ板を傾けて漆喰のコテへの載せ替えを行なっても、残りの漆喰が滑り落ちる心配がない、改良されたコテ板を提供することにある。
【課題を解決するための手段】
【０００６】
本考案のコテ板は、図１および図２に示すように、合成樹脂製の板状部材（１）と、木製または合成樹脂製の把手部材（２）と、金属製の把手固定部材（３）とから構成され、板状部材（１）は長方形であって、大部分を占める平面部（１１）の前方の端に傾斜部分（１２）を有するとともに、後方の端にも傾斜部分（１３）を有し、把手固定部材（３）は細長い平板状の支持板（３１）と、その中央から垂直に延びる連結棒（３２）とからなり、支持板（３１）は板状部材（１）の下側に前記四角形に対して斜めに固着され、かつ、連結棒（３２）は把手部材（２）の中央に固定されている漆喰作業用のコテ板である。
【考案の効果】
【０００７】
本考案のコテ板は、上記の構造を有するから、漆喰をのせたときに全体の重心が把手部分にあって、重さを受け止めやすい。したがって、手の小さい人や把握力の弱い人でもしっかり持つことができるし、長時間持っていても疲れにくい。前方の端に傾斜部分があるため、漆喰を塗る作業に当っては、図３に見るような使用法で壁（７）に漆喰（６）をのせると、前方の端に傾斜部分（１２）が役立って、作業が容易である。コテに漆喰をのせる必要がある場合は、図４に示したようにコテ板を傾けて、その上に載せた漆喰（６）をコテ（５）で上方にすくい取ることになるが、この作業に対しても、前方の端の傾斜部分（１２）が有用である。前述のように、コテ板を大きく傾けるとコテ板に載せた漆喰（６）が滑り落ちる危険があるが、それに対しては図５に見るように、後方の端の傾斜部分（１３）が滑り落ちを防止するのに役立つ。
【考案を実施するための最良の形態】
【０００８】
板状部材（１）は、前述のように長方形であって、代表的な寸法を示せば、傾斜部分を含めた前後（壁塗りの場合に壁に向ける辺を「前」、手前を「後」とする）の長さが２４±１ｃｍ、左右の長さが２７±１ｃｍ程度が適切である。好みによっては、前方の辺の長さを後方の辺の長さよりもわずかに短くした、台形のものであってもよく、ここでいう「長方形」には、そのような形状も含まれる。前方の端の傾斜部分（１２）および後方の端の傾斜部分（１３）は、幅をおおよそ２．０±０．３ｃｍにするとよい。平面部分（１１）からの傾斜角度は、１５〜２５度の範囲から選択する。厚さは、漆喰をのせたときにしなったりしないだけの剛性を与えるように選ぶ。合成樹脂の材質は任意であるが、アルカリ性の漆喰に耐え、かつ水洗いが容易で強靱なものとし、とくに上記の傾斜部分の形成は平板から加熱して形成できるよう、熱可塑性の樹脂が好ましい。
【０００９】
把手部材（２）は、断面が円形、楕円形または卵形が把持しやすくて好ましい。大きさは、比較的手の小さい人でも容易に握れる範囲から選らぶとよい。円形の場合に例を取れば、直径２５〜３０ｍｍが適切である。材料は木材が加工容易で好適であるが、低倍率の発泡樹脂を採用することも可能である。
【００１０】
金属製の把手固定部材（３）を構成する細長い平板状の支持板（３１）は、鋼板で製作するとよい。適度の幅と長さを有するものが、漆喰を多量にのせたときに板状部材が撓むことを防ぐ上で好ましい。代表的な寸法を挙げれば、長さは１３．５〜１５．５ｃｍであって、平板部材の平面部の幅の少なくとも７０〜８０％をカバーする値をもつことが好ましい。適切な幅は、２５〜３５ｍｍである。支持板は、それと同時に適度の厚さをもたせて、コテ板全体のこの部分に重心が位置するようにすると、使用時に持ちやすい。厚さ２ｍｍ程度の鋼板が、通常は適切である。
【００１１】
板状部材（１）の下面において支持板（３１）が存在する方向は、板状部材の長手方向に対し４０〜５０度、通常は４５度内外の傾きであることが、コテ板を把持して漆喰塗装作業をする上で適切である。支持板（３１）の板状部材（１）下面への固定は、適宜の接着剤を用いると簡便である。
【００１２】
支持板（３１）の中央から垂直に延びる連結棒（３２）は、鋼の適宜の棒を加工して製作し、支持板に溶接などの手段で取り付ける。連結棒（３２）と把手部材（２）との固定は、単なる差し込みは耐久性に欠けるおそれがあるので、連結棒の尖端を曲げて溝を彫った木製の把手部材に打ち込み、溝を別の木材で埋める固定方法など、確実で耐久性を与える固定手段を採用すべきである。この目的には、コテを製作するために確立された従来技術を利用することができる。把手部材（２）を低発泡倍率の合成樹脂で製作する場合は、インサート成形を採用することも可能である。
【００１３】
別法として、支持板の長手方向の中心線に沿って、中央から一端に向かう部分をプレス加工により垂直方向に立て、適宜のところでさらに直角に曲げて先端を支持板に平行にしたものを製作すれば、支持板と連結棒を溶接する必要がなくなる。そのほか、連結棒を支持板に開けた孔に通してカシメ固定するなど、任意の手段が採用できる。
【図面の簡単な説明】
【００１４】
【図１】本考案のコテ板を裏面から見た平面図。
【図２】図１の矢印方向からみた、本考案のコテ板の側面図。
【図３】本考案のコテ板の効果を説明するための図であって、前方の端を壁面に押しつけて漆喰をのせる場合の概念的な断面図。
【図４】同じく本考案のコテ板の効果を説明するための図であって、コテに漆喰をすくい取るときの状況を示した、図３と同様な概念的な断面図。
【図５】これも本考案のコテ板の効果を説明するための図であって、コテ板を傾けたときに漆喰が滑り落ちないことを示した、図３および図４と同様な概念的な断面図。
【符号の説明】
【００１５】
１  板状部材
１１  平面部
１２  前方端の傾斜部分
１３  後方端の傾斜部分
２  把手部材
３  把手固定部材
３１  支持板
３２  連結棒
５  コテ
６  漆喰
７  壁
【図１】
0003157156.tif 000003
【図２】
0003157156.tif 000004
【図３】
0003157156.tif 000005
【図４】
0003157156.tif 000006
【図５】
0003157156.tif 000007